(57)【要約】      （修正有）【課題】Ｒ型火災報知設備の伝送回線による伝送機能を通話制御に利用して、電話子機を指定した呼出しを含む高度な通話制御ができる安価な通話設備を提供する。【解決手段】受信機から警戒区域に引き出された伝送回線に固有のアドレスが設定された火災感知器が接続され、受信機から引き出され電話回線により受信機に設けた電話親機と警戒区域に設置された電話子機を通話接続する。受信機には電話親機の通話接続を制御する電話親機制御部が設けられ、電話子機には伝送回線と電話回線に接続されて電話子機の通話接続を制御する固有のアドレスが設定された電話中継器が設けられる。電話親機制御部と電話中継器は、伝送回線により通話制御コマンドを送受信して電話回線に対する電話親機と電話子機の通話接続を制御する。【選択図】図１
2019129362.tif 000002
【特許請求の範囲】
【請求項１】
受信機から警戒区域に引き出され、固有のアドレスが設定された火災感知器を含む端末機器が接続された伝送回線と、
前記受信機から前記警戒区域に引き出され、前記受信機に設けた電話親機と前記警戒区域に設置された電話子機を通話接続する電話回線と、
が設けられた火災報知設備に於いて、
前記受信機に設けられ、前記電話親機の通話接続を制御する電話親機制御部と、
前記伝送回線と前記電話回線に接続されると共に固有のアドレスが設定され、前記電話子機の通話接続を制御する電話中継部と、
が設けられ、前記電話親機制御部と前記電話中継部は、前記伝送回線により所定の通話制御信号を送受信して前記電話回線に対する前記電話親機と前記電話子機の通話接続を制御することを特徴とする火災報知設備。
【請求項２】
請求項１記載の火災報知設備に於いて、
前記電話親機制御部は、前記電話親機のオフフックを検出した場合に、表示部に電話子機呼出画面を表示し、前記電話子機選択画面の所定の電話子機の呼出し操作に対応した前記電話中継部のアドレスが指定された発呼コマンド信号を前記伝送回線に送信し、
前記電話中継部は、自己アドレスを指定した前記発呼コマンド信号を受信した場合に通話呼出しを行い、前記電話子機のオフフックを検出した場合に前記電話子機を前記電話回線に接続すると共に前記電話親機制御部に着呼応答コマンドを前記伝送回線により送信して前記電話親機を前記電話回線に接続し、前記電話親機と前記電話子機を前記電話回線により通話接続することを特徴とする火災報知設備。
【請求項３】
請求項２記載の火災報知設備に於いて、
前記電話親機制御部は、前記電話親機のオフフックを検出した場合に前記電話親機から所定の回線接続音を出力し、前記発呼コマンド信号を送信してから前記着呼応答コマンド信号が受信されるまでのあいだ所定の呼出音を出力させることを特徴とする火災報知設備。
【請求項４】
請求項２記載の火災報知設備に於いて、
前記電話親機制御部は、前記電話中継部からの前記発呼コマンド信号を別の電話子機との通話接続中に受信した場合、前記電話中継部のアドレスを指定した通話中コマンド信号を前記伝送回線により送信し、前記電話子機から所定の通話中音を出力させることを特徴とする火災報知設備。
【請求項５】
請求項１記載の火災報知設備に於いて、
前記電話中継部は、前記電話子機オフフックを検出した場合に、自己アドレスを含む発呼コマンド信号を前記伝送回線を介して前記受信機に送信し、
前記電話親機制御部は、前記発呼コマンド信号を受信した場合に呼出子機を画面表示すると共に通話呼出しを行い、前記電話親機のオフフックを検出した場合に前記電話親機を前記電話回線に接続すると共に前記電話中継部のアドレスを指定した着呼応答コマンドを前記伝送回線により送信して前記電話子機を前記電話回線に接続し、前記電話子機と前記電話親機を前記電話回線により通話接続することを特徴とする火災報知設備。
【請求項６】
請求項５記載の火災報知設備に於いて、
前記電話中継部は、前記電話子機のオフフックを検出した場合に前記電話子機から所定の回線接続音を出力し、前記発呼コマンド信号を送信してから前記着呼応答コマンド信号が受信されるまでのあいだ所定の呼出音を出力させることを特徴とする火災報知設備。
【請求項７】
請求項２記載の火災報知設備に於いて、
前記電話親機制御部は、前記電話親機と１の電話子機の通話接続中に、他の電話子機の電話中継部から発呼コマンド信号を受信した場合に前記他の電話子機の通話呼出を報知し、前記他の電話子機の通話接続を選択した場合に、前記他の電話子機の電話中継部のアドレスを指定した着呼応答コマンド信号を送信して前記他の電話子機を前記電話回線に接続すると共に、前記１の電話子機の電話中継部のアドレスを指定した保留コマンド信号を送信して前記１の電話機を前記電話回線から切り離して所定の保留中音を出力させることを特徴とする火災報知設備。
【請求項８】
請求項２記載の火災報知設備に於いて、
前記電話親機制御部は、前記電話親機と１の前記電話子機の通話接続中に、他の電話子機の電話中継部から発呼コマンド信号を受信した場合に前記他の電話子機の通話呼出を報知して３者通話の選択した場合に、前記他の電話子機の電話中継部に３者通話コマンド信号を送信して前記他の電話子機を前記電話回線に接続すると共に３者通話を音声通知し、前記１の電話子機の電話中継部に前記３者通話コマンド信号を送信して３者通話を音声通報知させることを特徴とする火災報知設備。
【請求項９】
火災報知設備の電話子機と接続又は一体化した中継部であって、
前記中継部は保留音を記録しており、前記電話子機が保留状態となったときに前記電話子機に対して保留音を出力することを特徴とする中継部。
【発明の詳細な説明】
【技術分野】
【０００１】
本発明は、受信機からの火災感知器を接続した伝送回線を利用して電話親機と電話子機を通話接続する火災報知設備に関する。
【背景技術】
【０００２】
従来、Ｒ型として知られた火災報知設備にあっては、受信機から引き出された伝送回線に、伝送機能を備えた火災感知器等の端末装置を接続し、火災検出時には、例えば火災感知器からの火災割込みに基づき、検索コマンドを発行して発報した火災感知器のアドレスを特定し、火災発生アドレスを表示すると共に、特定した火災感知器から火災データを収集して監視するようにしている。
【０００３】
このように、火災を検出した火災感知器のアドレスが分かると、適切な避難誘導や消火活動が可能となり、特に規模の大きな設備の火災監視には不可欠な機能となっている。
【０００４】
また、火災報知設備にあっては、非常通話装置として、受信機に電話親機が設けられ、受信機から警戒区域に引き出された電話回線に発信機等に設けられた電話ジャックが接続され、火災発生時や点検時などには、担当者が携帯している電話子機を発信機等の電話ジャックに接続すると受信機で通話呼出が行われ、電話親機をオフフックすることで電話子機と通話することができる。
【０００５】
また、火災報知設備の関連設備として、非常電話設備が設けられる場合もある。非常電話設備は受信機と同じ場所に電話親機が設けられた非常電話盤が設置され、非常電話盤から警戒区域に電話回線と制御回線が引き出されて電話子機が接続されている。
【０００６】
火災報知設備の非常電話装置は、電話親機から電話子機を指定して呼び出すことかできないが、非常電話設備は、非常電話盤から電話番号による呼出操作により電話子機を任意に指定して呼び出すことができ、火災等の非常時のみならず、日常的な設備を維持管理するための通話連絡にも利用することができる。
【先行技術文献】
【特許文献】
【０００７】
【特許文献１】特開２００４−０６４７０９号公報
【特許文献１】特開２０１７−００４４５１号公報
【特許文献２】特開２０１６−０７６０６４号公報
【特許文献３】特開２０１７−０６８５２３号公報
【発明の概要】
【発明が解決しようとする課題】
【０００８】
しかしながら、このような電話子機を指定して呼び出すことのできる従来の非常電話設備は、火災報知設備の関連設備として設けなければならないため、設備コストが嵩む問題かあり、一方、電話回線の電話ジャックに電話子機を接続して電話親機に通話接続する火災報知設備の非常電話装置は、設備コストは少なくて済むが、電話子機を指定した呼出し等の高度な通話制御ができず、非常電話設備に比べ利便性が低いという問題がある。
【０００９】
本発明は、Ｒ型の火災報知設備に使用されている伝送回線による伝送機能を通話制御に利用することで、電話子機を指定した呼出しを含む高度な通話制御ができるコスト的に安価な非常電話装置を備えた火災報知設備を提供することを目的とする。
【課題を解決するための手段】
【００１０】
（火災報知設備）
本発明は、
受信機から警戒区域に引き出され、固有のアドレスが設定された火災感知器を含む端末機器が接続された伝送回線と、
受信機から伝送回線と共に警戒区域に引き出され、受信機に設けた電話親機と警戒区域に設置された電話子機を通話接続する電話回線と、
が設けられた火災報知設備に於いて、
受信機に設けられ、電話親機の通話接続を制御する電話親機制御部と、
伝送回線と電話回線に接続されると共に固有のアドレスが設定され、電話子機の通話接続を制御する電話中継部と、
が設けられ、電話親機制御部と電話中継部は、伝送回線により所定の通話制御信号を送受信して電話回線に対する電話親機と前記電話子機の通話接続を制御することを特徴とする。
【００１１】
（電話親機から電話子機の呼出し通話）
電話親機制御部は、電話親機のオフフックを検出した場合に、表示部に電話子機呼出画面を表示し、電話子機選択画面の所定の電話子機の呼出し操作に対応した電話中継部のアドレスが指定された発呼コマンド信号を伝送回線に送信し、
電話中継部は、自己アドレスを指定した発呼コマンド信号を受信した場合に通話呼出しを行い、電話子機のオフフックを検出した場合に電話子機を電話回線に接続すると共に電話親機制御部に着呼応答コマンドを伝送回線により送信して電話親機を電話回線に接続し、電話親機と電話子機を電話回線により通話接続する。
【００１２】
（電話親機の回線接続音と呼出音）
電話親機制御部は、電話親機のオフフックを検出した場合に電話親機から所定の回線接続音を出力し、発呼コマンド信号を送信してから着呼応答コマンド信号が受信されるまでのあいだ所定の呼出音を出力させる。
【００１３】
（電話子機の呼出しに対する電話親機の通話中音）
電話親機制御部は、電話中継部からの発呼コマンド信号を別の電話子機との通話接続中に受信した場合、電話中継部のアドレスを指定した通話中コマンド信号を伝送回線により送信し、電話子機から所定の通話中音を出力させる。
【００１４】
（電話子機から電話親機の呼出し通話）
電話中継部は、電話子機オフフックを検出した場合に、自己アドレスを含む発呼コマンド信号を伝送回線を介して受信機に送信し、
電話親機制御部は、発呼コマンド信号を受信した場合に呼出子機を画面表示すると共に通話呼出しを行い、電話親機のオフフックを検出した場合に電話親機を電話回線に接続すると共に電話中継部のアドレスを指定した着呼応答コマンドを伝送回線により送信して電話子機を電話回線に接続し、電話子機と電話親機を電話回線により通話接続する。
【００１５】
（電話子機の回線接続音と呼出音）
電話中継部は、電話子機のオフフックを検出した場合に電話子機から所定の回線接続音を出力し、発呼コマンド信号を送信してから着呼応答コマンド信号が受信されるまでのあいだ所定の呼出音を出力させる。
【００１６】
（通話接続中の他の電話子機の呼出に対する切替）
電話親機制御部は、電話親機と１の電話子機の通話接続中に、他の電話子機の電話中継部から発呼コマンド信号を受信した場合に他の電話子機の通話呼出を報知し、他の電話子機の通話接続を選択した場合に、他の電話子機の電話中継部のアドレスを指定した着呼応答コマンド信号を送信して他の電話子機を電話回線に接続すると共に、１の電話子機の電話中継部のアドレスを指定した保留コマンド信号を送信して１の電話機を電話回線から切り離して所定の保留音を出力させる。
【００１７】
（３者通話）
電話親機制御部は、電話親機と１の電話子機の通話接続中に、他の電話子機の電話中継部から発呼コマンド信号を受信した場合に他の電話子機の通話呼出を報知して３者通話の選択した場合に、他の電話子機の電話中継部に３者通話コマンド信号を送信して他の電話子機を電話回線に接続すると共に３者通話を音声通知し、１の電話子機の電話中継部に３者通話コマンド信号を送信して３者通話を音声通報知させる。
【００１８】
（保留音を記憶した中継部）
本発明の別の形態にあっては、火災報知設備の電話子機と接続又は一体化した中継部であって、
中継部は保留音を記録しており、電話子機が保留状態となったときに電話子機に対して保留音を出力することを特徴とする。
【発明の効果】
【００１９】
（基本的な効果）
本発明は、受信機から警戒区域に引き出され、固有のアドレスが設定された火災感知器を含む端末機器が接続された伝送回線と、受信機から伝送回線と共に警戒区域に引き出され、受信機に設けた電話親機と警戒区域に設置された電話子機を通話接続する電話回線とが設けられた火災報知設備に於いて、受信機に設けられ、電話親機の通話接続を制御する電話親機制御部と、伝送回線と電話回線に接続されると共に固有のアドレスが設定され、電話子機の通話接続を制御する電話中継部とが設けられ、電話親機制御部と電話中継部は、伝送回線により所定の通話制御信号を送受信して電話回線に対する電話親機と前記電話子機の通話接続を制御するようにしたため、Ｒ型の火災報知設備に使用されている伝送回線による伝送機能を通話制御に利用することで、電話子機を指定した呼出しを含む高度な通話制御ができる簡単且つ低コストで実現することができる。
【００２０】
（電話親機から電話子機の呼出し通話による効果）
また、電話親機制御部は、電話親機のオフフックを検出した場合に、表示部に電話子機呼出画面を表示し、電話子機選択画面の所定の電話子機の呼出し操作に対応した電話中継部のアドレスが指定された発呼コマンド信号を伝送回線に送信し、
電話中継部は、自己アドレスを指定した発呼コマンド信号を受信した場合に通話呼出しを行い、電話子機のオフフックを検出した場合に電話子機を電話回線に接続すると共に電話親機制御部に着呼応答コマンドを伝送回線により送信して電話親機を電話回線に接続し、電話親機と電話子機を電話回線により通話接続するようにしたため、電話親機をオフフックして電話子機を呼出し選択した場合に、火災監視に使用している伝送回線を使用して受信機の電話親機制御部から発呼コマンド信号を電話中継部に送信して、電話親機側からの電話子機の呼出しを簡単に実現することができ、電話親機と電話子機の通話接続は火災報知設備の電話回線をそのまま使用していることから、従来の非常電話設備と同等の通話制御を簡単な設備構成により低コストで実現することができる。
【００２１】
（電話親機の回線接続音と呼出音による効果）
また、電話親機制御部は、電話親機のオフフックを検出した場合に電話親機から所定の回線接続音を出力し、発呼コマンド信号を送信してから着呼応答コマンド信号が受信されるまでのあいだ所定の呼出音を出力させるようにしたため、電話親機から電話子機を呼び出す通話において、通常の内線電話設備や公衆電話設備と同等の通話を簡単に実現することができ、高い利便性が得られる。
【００２２】
（電話子機の呼出しに対する電話親機の通話中音の効果）
また、電話親機制御部は、電話中継部からの発呼コマンド信号を別の電話子機との通話接続中に受信した場合、電話中継部のアドレスを指定した通話中コマンド信号を伝送回線により送信し、電話子機から所定の通話中音を出力させるようにしたため、電話親機と電話子機の通話中に別の電話子機をオフフックすると通話中音が出力され、電話親機が通話中にあることが確実に分かる。
【００２３】
（電話子機から電話親機の呼出し通話の効果）
また、電話中継部は、電話子機オフフックを検出した場合に、自己アドレスを含む発呼コマンド信号を伝送回線を介して受信機に送信し、電話親機制御部は、発呼コマンド信号を受信した場合に呼出子機を画面表示すると共に通話呼出しを行い、電話親機のオフフックを検出した場合に電話親機を電話回線に接続すると共に電話中継部のアドレスを指定した着呼応答コマンドを伝送回線により送信して電話子機を電話回線に接続し、電話子機と電話親機を電話回線により通話接続するようにしたため、電話子機をオフフックした場合に、火災監視に使用している伝送回線を使用して電話中継部から発呼コマンド信号を受信機の電話親機制御部に送信して、電話子機側からの電話親機の呼出しを簡単に実現することができ、電話子機と電話親機の通話接続は火災報知設備の電話回線をそのまま使用していることから、従来の非常電話設備と同等の通話制御を簡単な設備構成により低コストで実現することができる。
【００２４】
（電話子機の回線接続音と呼出音の効果）
また、電話中継部は、電話子機のオフフックを検出した場合に電話子機から所定の回線接続音を出力し、発呼コマンド信号を送信してから着呼応答コマンド信号が受信されるまでのあいだ所定の呼出音を出力させるようにしたため、電話子機から電話親機を呼び出す通話において、通常の内線電話設備や公衆電話設備と同等の通話を簡単に実現することができ、高い利便性が得られる。
【００２５】
（通話接続中の他の電話子機の呼出に対する切替えの効果）
また、電話親機制御部は、電話親機と１の電話子機の通話接続中に、他の電話子機の電話中継部から発呼コマンド信号を受信した場合に他の電話子機の通話呼出を報知し、他の電話子機の通話接続を選択した場合に、他の電話子機の電話中継部のアドレスを指定した着呼応答コマンド信号を送信して他の電話子機を電話回線に接続すると共に、１の電話子機の電話中継部のアドレスを指定した保留コマンド信号を送信して１の電話機を電話回線から切り離して所定の保留音を出力させるようにしたため、電話親機と電話子機の通話中に、別の電話子機からの通話呼出を受けると、これが受信機で選択可能に画面表示され、別の電話子機からの通話呼出を選択する操作を行うと、それまで通話中にあった電話子機との通話がカットされ、保留音が出力されて別の電話子機との通話接続に切り替わり、複数の電話子機からの通話呼出が重複した場合に、受信機側で必要とする電話子機の通話呼出を選択して通話することができる。
【００２６】
（３者通話の効果）
また、電話親機制御部は、電話親機と１の電話子機の通話接続中に、他の電話子機の電話中継部から発呼コマンド信号を受信した場合に他の電話子機の通話呼出を報知して３者通話の選択した場合に、他の電話子機の電話中継部に３者通話コマンド信号を送信して他の電話子機を電話回線に接続すると共に３者通話を音声通知し、１の電話子機の電話中継部に３者通話コマンド信号を送信して３者通話を音声通報知させるようにしたため、受信機の電話親機と警戒区域に設置された２台の電話子機との間で３者通話を行うことができ、火災時や保守点検時の通話連絡をより効率的に行うことができる。
【００２７】
（保留音を記憶した中継部の効果）
本発明の別の形態にあっては、火災報知設備の電話子機と接続又は一体化した中継部であって、中継部は保留音を記録しており、電話子機が保留状態となったときに電話子機に対して保留音を出力するようにしたため、中継部自体に保留音が記憶されていることで、外部から保留音の音響信号を送る必要がなく、例えば電話親機が別の電話子機と通話中であっても電話親機側からの信号なしに保留音を流すことが可能となる。また、簡単に火災報知設備の電話子機と接続又は一体化した中継部が実現できる。
【図面の簡単な説明】
【００２８】
【図１】通話制御機能を備えた火災報知設備の実施形態を示した説明図
【図２】図１の電話中継器の実施形態を示したブロック図
【図３】図１の受信機に設けられた電話機回路部の実施形態を示したブロック図
【図４】電話親機により電話子機を指定して呼出す通話制御を示したタイムチャート
【図５】電話子機のオフフックによる電話親機との通話制御を示したタイムチャート
【図６】電話親機が別の電話子機の通話中電話子機がオフフックした場合の通話制御を示したタイムチャート
【図７】電話親機と電話子機の通話中に別の電話子機の通話呼出を受けて切り替えた場合の通話制御を示したタイムチャート
【図８】電話親機と２台の電話子機による３者通話の通話制御を示したタイムチャート
【発明を実施するための形態】
【００２９】
［火災報知設備］
（通話制御機能を備えた火災報知設備の概要）
図１は通話制御機能を備えた火災報知設備の概要を示した説明図である。図１に示すように、火災報知設備が設置された建物の一階の管理人室などには例えばＲ型の受信機１０が設置され、受信機１０から警戒区域に対し伝送回線１２ａ，１２ｂと電話回線１６ａ，１６ｂが引き出されている。
【００３０】
伝送回線１２ａ，１２ｂには固有のアドレスが設定された伝送機能を有する複数の火災感知器１４が接続されている。また、伝送回線１２ａ，１２ｂと電話回線１６ａ，１６ｂには、電話子機２０が設けられた複数の電話中継器１８が接続され、電話中継器１８には固有のアドレスが設定され、伝送機能と通話制御機能を有する。電話中継器１８は電話中継部として機能する。また、電話子機２０に対応して受信機１０には電話親機２８が設けられている。なお、電話回線１６ａ，１６ｂは可聴帯域の音声周波数帯域３００〜３４００Ｈｚとなる音声信号の伝送品質を確保している。
【００３１】
ここで、伝送回線１２ａ，１２ｂに接続される火災感知器１４及び電話中継器１８に設定される最大アドレス数は例えば２５５としており、伝送回線１２ａ，１２ｂには最大２５５台の火災感知器１４及び電話中継器１８を含む端末機器が接続できる。
【００３２】
（受信機の機能構成）
受信機１０は、受信制御部２２、伝送部２４、電話機回路部２６、電話親機２８、タッチパネル付きのディスプレイ３０、表示部３２、操作部３４、スピーカを備えた警報部３６及び移報部３８を備える。
【００３３】
受信制御部２２はＣＰＵ、メモリ、各種の入出力ポート等を備えたコンピュータ回路等とする。伝送部２４は、伝送回線１２ａ，１２ｂに接続した火災感知器１４又は電話中継器１８との間で、所定の通信プロトコルに従って信号を送受信する。
【００３４】
伝送部２４から火災感知器１４又は電話中継器１８に対する下り信号は電圧モードで伝送している。この電圧モードの信号は、伝送回線１２ａ，１２ｂの線路電圧を例えば１８ボルトと３０ボルトの間で変化させる電圧パルスとして伝送される。
【００３５】
これに対し火災感知器１４又は電話中継器１８から受信機１０に対する上り信号は電流モードで伝送される。この電流モードにあっては、伝送回線１２ａ，１２ｂに伝送データのビット１のタイミングで信号電流を流し、いわゆる電流パルス列として上り信号が受信機に伝送される。
【００３６】
（火災監視制御部）
受信機１０の受信制御部２２にはＣＰＵによるプログラムの実行で実現される機能として、火災監視制御部４０の機能が設けられる。
【００３７】
火災監視制御部４０は、通常の監視中にあっては、一定周期毎に、伝送部２４に指示して、一括ＡＤ変換コマンドを含むブロードキャストの一括ＡＤ変換信号を送信しており、この一括ＡＤ変換信号を受信した火災感知器１４は、煙濃度又は温度をセンサデータとして検出して保持する。続いて、火災監視制御部３２は、端末アドレスを順次指定したポーリングコマンドを含む呼出信号を送信している。
【００３８】
火災感知器１４は自己アドレスに一致するアドレスを持つ呼出信号を受信すると、そのとき保持しているセンサデータを含む応答信号を受信機１０に送信する。また、火災感知器１４は火災を検出すると受信機１０に対し火災割込み信号を送信する。
【００３９】
火災監視制御部４０は伝送部２４を介して火災割込み信号を受信するとグループ検索コマンド信号を送信して火災を検出している火災感知器１４を含むグループを特定し、続いて、グループ内検索コマンド信号を送信して火災を検出している火災感知器１４のアドレスを特定し、火災警報を出力すると共に火災発生アドレスを表示し、その後、特定した火災感知器から火災データを収集して監視する制御を行う。
【００４０】
（電話親機制御部）
受信機１０の受信制御部２２にはＣＰＵによるプログラムの実行で実現される機能として、電話親機制御部４２の機能が設けられる。
【００４１】
電話親機制御部４２は、伝送部２４に指示し、電話中継器１８との間で伝送回線１２ａ，１２ｂを介して各種の通話制御に必要なコマンド信号を送受信し、電話回線１６ａ，１６ｂを介して電話親機２８と電話子機２０の通話接続や通話カット（通話切離し）の制御を行う。
【００４２】
本実施形態の電話親機制御部４２による通話制御は次のものがある。
（１）  電話子機を指定した呼出しによる通話制御。
（２）  電話子機からの呼出しによる通話制御。
（３）  電話子機との通話中に別の電話子機からの呼出しによる通話切替え制御。
（４）  電話親機と電話子機２台の３者通話制御。
【００４３】
これらの通話制御では、コマンド信号として、発呼コマンド信号、着呼応答コマンド信号、保留コマンド信号、通話中コマンド信号等が使用される。発呼コマンド信号は、電話子機に通話呼出を要求する信号である。着呼応答コマンド信号は、発呼コマンド信号の受信で電話子機がオフフックされた場合に送信される信号である。保留コマンド信号は電話子機に保留音の出力を指示する信号である。通話中コマンド信号は、電話子機に通話中音の出力を指示する信号である。このようなコマンド信号を使用した通信制御の詳細は後の説明で明らかにされる。
【００４４】
［電話中継器の構成］
図２は図１の電話中継器の実施形態を示したブロック図である。図２に示すように、電話中継器１８の回路部は、伝送回線１２ａ，１２ｂ側の回路部として、電話子機制御部４８と伝送部５０が設けられ、電話回線１６ａ，１６ｂ側の回路として、接続切替部５２、制御音生成部５４、一対のスイッチ回路部５６、トランス５８、フックスイッチ６０及びスピーカ６１が設けられ、電話子機２０には受話器４４と送話器４６が設けられている。
【００４５】
電話子機制御部４８は、ＣＰＵ、メモリ、各種の入出力ポート等を備えたコンピュータ回路等で構成され、ＣＰＵによるプログラムの実行により電話子機制御部４８の機能が実現される。
【００４６】
本実施形態の電話子機制御部４８による通話制御は次のものがある。
（１）  電話親機の呼出しによる通話制御。
（２）  電話親機からの呼出しによる通話制御。
（３）  別の電話子機との通話中の電話親機の呼出しによる通話切替え制御。
（４）  電話親機と電話子機２台の３者通話制御。
【００４７】
これらの通話制御では、コマンド信号として、発呼コマンド信号、着呼応答コマンド信号、保留コマンド信号、通話中コマンド信号等が使用され、通話制御の詳細は後の説明で明らかにされる。
【００４８】
伝送部５０は伝送回線１２ａ，１２ｂを介して図１に示した受信機１０の伝送部２４との間で通話制御に必要な各種のコマンド信号を、火災監視の場合と同じ通信プロトコルに従って送受信する。また、伝送部５０は受信機１０からの下り信号を電圧モードで受信し、受信機１０に対する上り信号は電流モードで送信する。
【００４９】
接続切替部５２は、電話子機制御部４８の指示により動作してリレー接点や半導体スイッチ素子等を用いたスイッチ回路部５６をオン、オフし、電話子機２０の電話回線１６ａ，１６ｂに対する接続とカット（切離し）を行う。
【００５０】
制御音生成部５４は、電話子機制御部４８の指示により動作し、所定の回線接続音、電話親機に対する呼出音、保留音、通話中音等の音響信号を生成して電話子機２０の受話器４４に出力し、また、電話親機からの呼出しに応じて呼出音の音響信号を生成してスピーカ６１に出力する。
【００５１】
トランス５８は一次巻線を電話回線１６ａ，１６ｂに接続し、二次巻線に受話器４４を接続しており、所定の直流電圧が重畳された電話回線１６ａ，１６ｂから交流となる音声信号のみを受話器４４に取り出すと共に増幅し、更に、ハウリングを防止している。電話子機２０の送話器４６は電話回線１６ａ，１６ｂ側に接続している。
【００５２】
フックスイッチ６０は電話子機２０のオフフック又はオンフックを検出してオフフック検出信号又はオンフック検出信号を電話子機制御部４８に出力する。
【００５３】
なお、図２の電話回線１６ａ，１６ｂ側の電話機回路は基本的なアナログ電話機回路を示しており、これに限定されず、必要に応じて音声増幅器を設けてもよく、更に、デジタル音声信号を受信してＤＡ変換して受話器４４に出力し、送話器４６からの音声信号をＡＤ変換して送信するデジタル電話機回路としても良い。
【００５４】
［受信機の電話器回路部の構成］
図３は図１の受信機に設けられた電話機回路部の実施形態を示したブロック図である。図３に示すように、電話機回路部２６は、接続切替部６２、制御音生成部６４、一対のスイッチ回路部６６、トランス６８及びフックスイッチ７０が設けられ、電話親機２８には受話器７２と送話器７４が設けられている。電話機回路部２６からは電話回線１６ａ，１６ｂ間に例えばＤＣ４８Ｖの電話回線電圧Ｖｔが印加されている。
【００５５】
接続切替部６２は、図１の電話親機制御部４２の指示により動作してスイッチ回路部６６をオン、オフし、電話親機２８の電話回線１６ａ，１６ｂに対する接続とカット（切離し）を行う。
【００５６】
制御音生成部６４は、電話親機制御部４２の指示により動作し、所定の回線接続音、電話子機の呼出しを示す呼出音、保留音、通話中音等の音響信号を生成して電話親機２８の受話器７２に出力し、また、電話子機からの呼出しに対し呼出音の音響信号を生成し、例えば警報部３６に設けられたスピーカに出力する。
【００５７】
トランス６８は一次巻線を電話回線１６ａ，１６ｂに接続し、二次巻線に受話器７２を接続しており、所定の電話回線電圧Ｖｔが重畳された電話回線１６ａ，１６ｂから交流となる音声信号のみ受話器７２に取り出すと共に増幅し、更に、ハウリングを防止している。電話親機２８の送話器７４は電話回線１６ａ，１６ｂ側に接続している。
【００５８】
フックスイッチ７０は電話親機２８のオフフック又はオンフックを検出してオフフック検出信号又はオンフック検出信号を電話親機制御部４２に出力する。
【００５９】
なお、図３の電話回線１６ａ，１６ｂ側の電話機回路は、図２の電話中継器１８と同様に、基本的なアナログ電話機回路を示しており、これに限定されず、必要に応じて音声増幅器を設けたり、更に、デジタル電話機回路としても良い。
【００６０】
［電話親機と電話子機の通話制御］
（電話親機による電話子機の指定呼出し）
図４は電話親機により電話子機を指定して呼出す通話制御を示したタイムチャートであり、図１に示した受信機１０の電話親機制御部４２と図２に示した電話中継器１８の電話子機制御部４８による制御動作となる。
【００６１】
担当者が警戒区域にいる担当者と連絡をとるため電話親機２８を取り上げると、フックスイッチ６０からオフフック検出信号が出力され、図４に示すように、電話親機制御部４２はステップＳ１で電話親機２８のオフフックを判別してステップＳ２に進み、ディスプレイ３０に子機呼出画面を表示し、同時に、制御音生成部６４に指示して電話親機２８の受話器７２から例えば「ツ―」といった連続音となる回線接続音を出力させる。
【００６２】
ステップＳ２でディスプレイ３０に表示された子機呼出画面には、０，１〜９、♯、＊配列したキー釦が表示されており、呼出先の電話子機の電話番号をタッチする子機呼出操作を行うと、電話親機制御部４２はステップＳ３で子機呼出操作を認識してステップＳ４進み、呼出し電話番号に対応した中継器アドレスを指定した発呼コマンド信号を伝送部２４に指示して伝送回線１２ａ，１２ｂに送信する。このとき電話親機２８からは電話子機に対する呼出音が出力される。
【００６３】
電話中継器１８の電話子機制御部４８は、伝送回線１２ａ，１２ｂを介して伝送部５０により自己アドレスを指定した発呼コマンド信号を受信すると、ステップＳ５で制御音生成部５４に指示してスピーカ６１から呼出音を出力させる通話呼出しを行う。
【００６４】
この通話呼出しに対し現場にいる担当者が電話子機２０を取り上げると、フックスイッチ６０からのオフフック検出信号によりステップＳ６でオフフックが判別され、ステップＳ７で伝送部５０に指示して自己アドレスを含む着呼応答コマンド信号を伝送回線１２ａ，１２ｂを介して受信機１０に送信し、続いて、ステップＳ９で接続切替部５２に指示してスイッチ回路部５６をオンし、電話子機２０側の電話機回路部を電話回線１６ａ，１６ｂに接続する通話接続を行う。
【００６５】
受信機１０の電話親機制御部４２は、電話中継器１８からステップＳ７で送信された着呼応答コマンド信号を受信すると、電話子機２０に対する呼出音の出力を停止し、ステップＳ９で接続切替部６２に指示してスイッチ回路部６６をオンし、電話親機２８の電話機回路部２６を電話回線１６ａ，１６ｂに接続する通話接続を行う。
【００６６】
これにより電話親機２８と呼出された電話子機２０が電話回線１６ａ，１６ｂに接続されて通話を行うことができる。通話が終了すると電話親機２８及び電話子機２０が戻されてステップＳ１１またはＳ１２でオンフックが判別され、ステップＳ１１またはＳ１３で電話回線１６ａ，１６ｂから切り離す通話カットが行われて通話が終了する。
【００６７】
（電話子機による電話親機の呼出し）
図５は電話子機により電話親機を呼出す通話制御を示したタイムチャートである。警戒区域にいる担当者が受信機１０側と連絡をとるため電話子機２０を取り上げると、フックスイッチ６０からオフフック検出信号が出力され、図５に示すように、電話子機制御部４８はステップＳ２１で電話子機２０のオフフックを判別してステップＳ２２に進み、制御音生成部５４に指示して電話子機２０の受話器４４から例えば「ツ―」といった連続音となる回線接続音を出力させる。
【００６８】
続いて、電話子機制御部４８はステップＳ２３で自己アドレスを含む発呼コマンド信号を伝送部５０に指示して伝送回線１２ａ，１２ｂを介して受信機１０に送信する。このととき電話子機２０からは電話親機２８に対する呼出音が出力される。
【００６９】
受信機１０の電話親機制御部４２は、伝送回線１２ａ，１２ｂを介して伝送部５０により中継器アドレスを含む発呼コマンド信号を受信すると、ステップＳ２４で警報部３６に指示してスピーカから呼出音を出力させることで通話呼出しを行い、続いて、ステップＳ２５に進んでディスプレイ３０に子機呼出画面を表示して呼出子機の電話番号等を表示する。
【００７０】
ステップＳ２４での呼出音を受けて担当者が受信機１０に設けている電話親機２８を取り上げると、電話親機制御部４２はステップＳ２６で電話親機２８のオフフックを判別し、ステップＳ２７で伝送部２４に指示して呼出しを行なった中継器アドレスを指定した着呼応答コマンド信号を伝送回線１２ａ，１２ｂに送信し、ステップＳ２８で接続切替部６４に指示してスイッチ回路部６６をオンすることで電話親機２８を電話回線１６ａ，１６ｂに通話接続する。
【００７１】
一方、電話子機制御部４８は、ステップＳ２７で受信機１０から送信された自己アドレスを指定した着呼応答コマンド信号を受信すると、電話親機２８に対する呼出音を停止してステップＳ２９に進み、接続切替部５４に指示してスイッチ回路部５６をオンすることで電話子機２０を電話回線１６ａ，１６ｂに通話接続する。
【００７２】
これにより電話子機２０と呼出された電話親機２８が電話回線１６ａ，１６ｂに接続されて通話を行うことができる。通話が終了すると電話子機２０及び電話親機２８が戻されてステップＳ３０またはＳ３２でオンフックが判別され、ステップＳ３１またはＳ３３で電話回線１６ａ，１６ｂから切り離す通話カットが行われて通話接続が終了する。
【００７３】
（電話親機が通話中の電話子機の呼出し）
図６は電話親機が別の電話子機と通話中に電話子機のオフフックした場合の通話制御を示したタイムチャートである。
【００７４】
図４に示した電話親機からの呼出し、又は、図５に示した電話子機からの呼出しによる電話親機の通話中に、図６に示すように、別の電話中継器１８の電話子機制御部４８が電話子機２０のオフフックをステップＳ４１で判別し、ステップＳ４２で回線接続音を電話子機２０から出力した後に、ステップＳ４３で自己アドレスを含む発呼コマンド信号を伝送回線１２ａ，１２ｂを介して受信機１０に送信し、警報部３６のスピーカから呼出音を出力させたとする。
【００７５】
この場合、受信機１０の電話親機制御部４２は、ステップＳ４３で電話中継器１８から送信された発呼コマンド信号を受信するが、ステップＳ４４で他の電話子機と通話中にあることを判別し、ステップＳ４５でディスプレイ３０に子機呼出画面に新たな子機呼出しを表示した後、ステップＳ４６で発呼コマンド信号を送信した電話中継器１８のアドレスを指定した通話中コマンド信号を伝送回線１２ａ，１２ｂに送信する。
【００７６】
電話中継器１８の電話子機制御部４８は、伝送回線１２ａ，１２ｂを介して自己アドレスを指定した通話中コマンド信号を受信すると、ステップＳ４７で制御音生成部５４に指示して電話子機２０の受話器４４から所定の通話中音を出力させる。
【００７７】
このため電話子機２０を取り上げた担当者は電話親機２８が通話中にあることを知って電話子機２０を元に戻し、電話子機制御部４８はステップＳ４８でオンフックを判別して通話接続を終了する。
【００７８】
（電話親機と電話子機の通話中の別の電話子機の通話呼出しによる通話切替え）
図７は電話親機と電話子機の通話中に別の電話子機の通話呼出を受けて切り替えた場合の通話制御を示したタイムチャートである。ここで、最初に通話呼出を行った電話中継器１８を電話中継器１８−１とし、次に通話呼出を行った電話中継器１８を電話中継器１８−２とし、それぞれに設けられた電話子機制御部４８を電話子機制御部４８−１，４８−２とし、電話子機２０を電話子機２０−１，２０−２とする。
【００７９】
図７に示すように、電話中継器１８−１の電話子機制御部４８−１からの呼出しにより受信機１０の電話親機制御部４２との間の通話制御により電話親機２８と電話子機２０−１とが通話接続を行っている。この場合のステップＳ５１〜Ｓ５９の通話制御は、図5のステップＳ２１〜Ｓ２９と同じになることから説明を省略する。
【００８０】
続いて、別の電話中継器１８−２の電話子機制御部４８−２がステップＳ６０で電話子機２０−２のフックオフを判別すると、回線接続音を電話子機２０−２から出力した後にステップＳ６１で自己アドレスを含む発呼コマンド信号を伝送回線１２ａ，１２ｂを介して電話親機２８が通話中の受信機１０に送信する。
【００８１】
受信機１０の電話親機制御部４２は、電話中継器１８−２から送信された発呼コマンド信号を受信すると、ステップＳ６２でディスプレイ３０に電話子機２０−２の呼出しを画面表示し、併せて所定の注意音を警報部３６のスピーカから出力させる。
【００８２】
これにより通話中の担当者は、別の電話子機２０−２から通話呼出があったことを知って選択する操作を行うと、電話親機制御部４２はステップＳ６３で別の電話子機２０−２の選択操作を認識してステップＳ６４に進み、電話中継器１８−２のアドレスを指定した着呼応答コマンド信号を伝送回線１２ａ，１２ｂに送信し、これが電話中継器１８−２で受信され、電話子機制御部４８−２はステップＳ６５で電話子機２０−２を電話回線１６ａ，１６ｂに接続する。
【００８３】
また、電話親機制御部４２はステップＳ６６で、それまで通話中にあった電話子機２０−１の電話中継器１８−１のアドレスを指定した保留コマンド信号を伝送回線１２ａ，１２ｂに送信し、これが電話中継器１８−１で受信され、電話子機制御部４８−１はステップＳ６７で電話回線１６ａ，１６ｂから電話子機２０−１を切り離す通話カットを行うと共に電話子機２０−１から所定の保留音を出力させる。
【００８４】
その後、電話親機２８と電話子機２０−２との通話が終了して電話子機制御部４８−２がステップＳ６８でオンフックを判別するとステップＳ６９に進み、自己アドレスを含む通話終了コマンド信号が伝送回線１２ａ，１２ｂに送信する。
【００８５】
電話親機制御部４２は電話中継器１８−２からの通話終了コマンド信号の受信を判別すると、ステップＳ７０で保留中にある電話中継器１８−１のアドレスを指定した保留解除コマンド信号を伝送回線１２ａ，１２ｂに送信し、電話子機制御部４８−１は自己アドレスを指定した保留解除コマンド信号を受信すると、ステップＳ７１で電話子機２０−１からの保留音の出力を停止し、電話子機２０−１を再び電話回線１６ａ，１６ｂに接続し、電話親機２８との通話を再開させる。
【００８６】
（３者通話）
図８は電話親機と２台の電話子機による３者通話の通話制御を示したタイムチャートであり、図７と同様に、３者通話を行う２台の電話中継器１８、電話子機２０及び電話子機制御部４８を、それぞれ電話中継器１８−１，１８−２、電話子機２０−１，２０−２及び電話子機制御部４８−１，４８−２としている。
【００８７】
図８に示す３者通話において、ステップＳ８１〜Ｓ９２の制御は、図７に示したステップＳ５１〜Ｓ６２と同じになることから、その説明を省略する。
【００８８】
図８の３者通話にあっては、電話親機２８と電話子機２０−１の通話接続中に、別の電話子機２０−２の電話中継器１８−２から発呼コマンド信号が送信されてステップＳ９２で電話子機２０−２の呼出しがディスプレイ３０に画面表示された場合、表示画面の中に３者通話の選択釦が表示され、３者通話の選択操作ができる。
【００８９】
このため電話親機制御部４２がステップＳ９３で３者通話の選択操作を認識するとステップＳ９４に進み、発呼コマンド信号を送信した電話中継器１８−２のアドレスを指定した発呼コマンド信号が伝送回線１２ａ，１２ｂに送信され、これを受信した電話子機制御部４８−２はステップＳ９５で電話子機２０−２を電話回線１６ａ，１６ｂに接続する。
【００９０】
続いて、電話親機制御部４２はステップＳ９６で電話中継器１８−１，１８−２のアドレスを指定した３者通話コマンド信号を伝送回線１６ａ，１６ｂに順次送信し、これを受信した電話子機制御部４８−１，４８−２はステップＳ９７，Ｓ９８で３者通話の開始を知らせる所定の報知音が電話子機２０−１，２０−２から出力され、これによって電話親機制御部４２のステップＳ９９、電話子機制御部４８−１，４８−２のステップＳ１００，Ｓ１０１に示す３者通話が、電話親機２８、電話子機２０−１，２０−２の３台を電話回線１６ａ，１６ｂに接続することで行われる。
【００９１】
ここで、電話回線１６ａ，１６ｂに電話親機２８に加え複数の電話子機２０を接続することで、４者通話、５者通話等が実現可能であるが、電話回線１６ａ，１６ｂに対する電話機の接続数が増加すると、電話回線１６ａ，１６ｂにより伝送される音声信号のレベルが低下して通話品質が悪化することから、音声レベルの低下の少ない電話親機２８に加えて２台の電話子機を接続する電話機３台を電話回線１６ａ，１６ｂに接続する３者通話が最適といえる。
【００９２】
［本発明の変形例］
（電話子機間の通話）
上記の実施形態は、受信機の電話親機と警戒区域に設置された電話子機との間の通話制御を例にとっているが、これに限定されず、電話中継器に電話番号やアドレス等の電話子機を特定する情報を入力して通話呼出しを行う操作表示部を設けることで、ある電話子機から別の電話子機を指定した通話呼出しにより電話子機間での通話ができるようにしても良い。
【００９３】
（ハンズフリー通話機能）
上記の実施形態は、電話親機と電話子機による通話を例にとっているが、これに限定されず、受信機の電話親機及び電話中継器の電話子機のそれぞれに加え、マイクとスピーカを電話機近傍のパネル面等に設置し、所定のスイッチ操作により電話機をマイクとスピーカに切替え、電話機を使用することなく通話するハンズフリー通話機能を設けるようにしても良い。
【００９４】
（Ｐ型受信機）
上記の実施形態は、Ｒ型の受信機からの伝送回線を介してＲ型の火災感知器を接続した火災報知設備を例にとっているが、Ｐ型の受信機から引き出した感知器回線にアドレスを設定すると共に伝送機能を備えたアドレッサブル火災感知器を接続した火災報知設備についても、同様に、感知器回線を使用した各種のコマンド信号の送受信により、同様な通信制御を実現することができる。
【００９５】
（その他）
電話子機側の制御音生成部５４が生成する呼出音、保留音、通話中音等の音響信号は繰り返し電子音や音楽等とすることがコスト上好適であるが、音声メッセージを出力するようにしても良い。同様に電話親機側の制御音生成部６４が生成する音響信号も各形態をとってよい。
【００９６】
電話中継部は電話子機とは別体の中継器としているが、電話子機と一体にしても良い。また、電話機能を備えた中継器としても良く、電話ジャックを備えて電話ジャックに電話子機が接続されることでオフフックと同様の動作を行うようにしても良い。電話機能を備えた中継器としてアドレスを備えた発信機であるアドレッサブル発信機を採用しても良い。従来のアドレッサブル発信機においては、伝送路上のアドレスと電話用のジャックを備えていても互いに連携していなかったが、本願の中継部機能を内蔵することにより連携可能となり受信機からの通話指定対象に含めることが可能となる。
【００９７】
Ｐ型発信機は従来ジャックインで電話親機と通話可能な構成となっているが、電話親機と電話子機の３者間通話と同様に、Ｐ型発信機からも含めて３者間通話できるようにしても良い。
【００９８】
電話子機で通話中に付近の所定範囲の地区ベルの動作を止めるようにしても良い。このような構成とすることで通話中に音声が聞き取りづらくなることを防止することができる。
【００９９】
中継器は表示灯を備える。例えば、通話中・保留・呼出中などを表示する。
【０１００】
また、本発明はその目的と利点を損なうことのない適宜の変形を含み、更に上記の実施形態に示した数値による限定は受けない。
【符号の説明】
【０１０１】
１０：受信機
１２：伝送回線
１４：火災感知器
１６ａ，１６ｂ：電話回線
１８：電話中継器
２０：電話子機
２２：受信制御部
２４，５０：伝送部
２６：電話機回路部
２８：電話親機
３０：ディスプレイ
４０：火災監視制御部
４２：電話親機制御部
４４，７２：受話器
４６，７４：送話器
４８：子機電話制御部
５２，６２：接続切替部
５４，６４：制御音生成部
５６，６６：スイッチ回路部
５８，６８：トランス
６０，７０：フックスイッチ
６１：スピーカ
【図１】
2019129362.tif 000003
【図２】
2019129362.tif 000004
【図３】
2019129362.tif 000005
【図４】
2019129362.tif 000006
【図５】
2019129362.tif 000007
【図６】
2019129362.tif 000008
【図７】
2019129362.tif 000009
【図８】
2019129362.tif 000010